(57)【要約】【課題】  複雑な構成を採用することなく、かつ容易に複数の収納棚の収納開口に各々配置される複数の落下防止杆を連動して位置変更可能な落下防止装置を提供すること。【解決手段】  本発明の落下物防止装置１００は、第１の落下防止ユニット１２０と、第２の落下防止ユニット１４０と、第３の落下防止ユニット１６０と、第１の落下防止ユニット１２０と第２の落下防止ユニット１４０を連結する一組の連結板１８２と、第２の落下防止ユニット１４０と第３の落下防止ユニット１６０を連結する一組の連結板１８４とで構成されている。さらに、第１の落下防止ユニット１２０と第２の落下防止ユニット１４０と第３の落下防止ユニット１６０は、図１に示す収納開口３４６、３４４、３４２を横断する落下防止位置と、図３に示す収納開口３４６、３４４、３４２を開放する退避位置とに連動して位置変更可能となっている。【選択図】図１
2012056767.tif 000002
【特許請求の範囲】
【請求項１】
複数の支柱と、該複数の支柱間に架け渡される複数の棚板とからなる収納棚の複数の収納開口に配置される落下防止装置であって、
前記収納開口を横断する落下防止位置と前記収納開口を開放する退避位置とに位置変更可能な落下防止杆を複数具備し、
前記落下防止杆は、複数の前記収納開口に各々配置され、連動して位置変更可能であることを特徴とする落下防止装置。
【発明の詳細な説明】
【技術分野】
【０００１】  本発明は、地震等により什器、本棚や工場等の倉庫に設置された重量物用の棚等が振動しても、これらの収納棚の複数の棚板に載置された物品の落下や飛び出しを防止する落下防止装置に関する。
【背景技術】
【０００２】  従来、地震や意図しない何らかの物品の衝突等における振動、揺れ及び傾きで収納棚の複数の棚板に載置された物品の落下や飛び出しを防止する装置が種々提案されている。【０００３】  たとえば、特許文献１に開示される棚の荷物落下防止装置は、棚の前面両側の各支柱の上下に設けた２個の滑車と、この２個の滑車間に張設したワイヤと、２本のワイヤ間に横方向に取り付けた落下防止用バーと、一方の支柱の下方の滑車を回動させる歯車装置と、歯車装置と連結し他方の支柱の下方の滑車を回動させる駆動軸とを備え、複数の棚に対して各々落下防止用バーを配置し、各々の棚に載置された荷物の落下を防止する構成となっている。
【先行技術文献】
【特許文献】
【０００４】
【特許文献１】  特開２０１０−１２０７５０号公報
【発明の概要】
【発明が解決しようとする課題】
【０００５】  しかしながら、特許文献１に開示される棚の荷物落下防止装置は、落下防止用バーの両端を各々ワイヤにボルトとナットで締結されることで固定される構成のため、棚板に載置されている物品の重量によっては該ボルト・ナットが破壊される課題があった。【０００６】  また、特許文献１に開示される棚の荷物落下防止装置は、一方の支柱の下方の滑車を回動させる歯車装置と、歯車装置と連結し他方の支柱の下方の滑車を回動させる駆動軸の差動等により、落下防止用バーが傾く場合があり、落下防止用バーを水平に修正しなければならないという課題があった。
【課題を解決するための手段】
【０００７】  この発明の目的は、上述した事情に鑑みなされたもので、落下および飛び出しを防止する物品が重量の大きいものであっても確実に落下の防止が可能な落下防止装置を提供することである。【０００８】  また、この発明の目的は、複数の収納棚の収納開口に各々配置される複数の落下防止杆を連動して位置変更可能とすると共に、この位置変更に複雑な構成を採用することなく、かつ容易に位置変更可能な落下防止装置を提供することである。【０００９】  さらに、この発明の目的は、複数の落下防止杆を連動して位置変更する際に、落下防止杆が傾くことで落下防止杆の位置変更が困難になることがない落下防止装置を提供することである。【００１０】  上述した課題を解決し、目的を達成するため、この発明に係わる落下防止装置は、請求項１の記載によれば、複数の支柱と、該複数の支柱間に架け渡される複数の棚板とからなる収納棚の複数の収納開口に配置される落下防止装置であって、前記収納開口を横断する落下防止位置と前記収納開口を開放する退避位置とに位置変更可能な落下防止杆を複数具備し、前記落下防止杆は、複数の前記収納開口に各々配置され、連動して位置変更可能であることを特徴とする。
【発明の効果】
【００１１】  この発明によれば、落下および飛び出しを防止する物品が、重量の大きいものであっても確実に落下の防止が可能な落下防止装置を提供することができる。【００１２】  また、この発明により、複雑な構成を採用することなく、かつ容易に複数の収納棚の収納開口に各々配置される複数の落下防止杆を連動して位置変更可能な落下防止装置を提供することができる。
【図面の簡単な説明】
【００１３】
【図１】  収納開口を横断する落下防止位置となっている落下防止装置の正面図
【図２】  収納開口を横断する落下防止位置となっている落下防止装置の左側面図
【図３】  収納開口を開放する退避位置となっている落下防止装置の正面図
【図４】  収納開口を開放する退避位置となっている落下防止装置の左側面図
【図５】  収納開口を横断する落下防止位置となっている第１の落下防止杆支持部の左側面一部断面図
【図６】  収納開口を横断する落下防止位置となっている第２の落下防止杆支持部の左側面一部断面図
【図７】  収納開口を横断する落下防止位置となっている第３の落下防止杆支持部の左側面一部断面図
【図８】  収納開口を開放する退避位置となっている第１の落下防止杆支持部の左側面一部断面図
【図９】  収納開口を開放する退避位置となっている第２の落下防止杆支持部の左側面一部断面図
【図１０】  収納開口を開放する退避位置となっている第３の落下防止杆支持部の左側面一部断面図
【図１１】  落下防止装置の定荷重バネ部分の部分正面図
【発明を実施するための形態】
【実施例】
【００１４】  以下に図面を用いて本発明の実施例を説明する。なお、この実施例において、収納棚は工場や事務所または一般家庭でも使用されている組み立て式の収納棚としているが、これに限定される物ではなく、本棚や什器等の支柱等の棚側壁と棚板とからなる収納開口を有する収納棚であれば、本発明の落下防止装置が適用可能である。【００１５】  最初に図１乃至図１１を用いて、本発明の落下防止装置１００を説明する。図１は、落下防止杆１２４、１４４、１６４が収納開口３４６、３４４、３４２を横断する落下防止位置となっている落下防止装置１００の正面図である。図２は、図１の収納棚３００の左側支柱３１４の側から見た図で、落下防止杆１２４、１４４、１６４が収納開口３４６、３４４、３４２を横断する落下防止位置となっている落下防止装置１００の左側面図である。【００１６】  また、図３は、落下防止杆１２４、１４４、１６４が収納開口３４６、３４４、３４２を開放する退避位置となっている落下防止装置１００の正面図である。図４は、図３の収納棚３００の左側支柱３１４の側から見た図で、落下防止杆１２４、１４４、１６４が収納開口３４６、３４４、３４２を開放する退避位置となっている落下防止装置１００の左側面図である。【００１７】  また、図５は、第１の落下防止杆１２４を支持する第１の落下防止杆支持部１２１で、収納開口３４６を横断する落下防止位置となっている第１の落下防止杆支持部１２１の左側面一部断面図である。図６は、第２の落下防止杆１４４を支持する第２の落下防止杆支持部１４１で、収納開口３４４を横断する落下防止位置となっている第２の落下防止杆支持部１４１の左側面一部断面図である。図７は、第３の落下防止杆１６４を支持する第３の落下防止杆支持部１６１で、収納開口３４２を横断する落下防止位置となっている第３の落下防止杆支持部１６１の左側面一部断面図である。【００１８】  また、図８は、第１の落下防止杆１２４を支持する第１の落下防止杆支持部１２１で、収納開口３４６を開放する退避位置となっている第１の落下防止杆支持部１２１の左側面一部断面図である。図９は、第２の落下防止杆１４４を支持する第２の落下防止杆支持部１４１で、収納開口３４４を開放する退避位置となっている第２の落下防止杆支持部１４１の左側面一部断面図である。図１０は、第３の落下防止杆１６４を支持する第３の落下防止杆支持部１６１で、収納開口３４２を開放する退避位置となっている第３の落下防止杆支持部１６１の左側面一部断面図である。【００１９】  また、図１１は、第３の落下防止杆支持部１６１に設けられた定荷重バネ部１８０の部分正面図である。【００２０】  図１及び図３には、本発明の落下物防止装置１００が取り付けられた収納棚３００が示されている。この収納棚３００は、例えば、鋼材製のアングル材や角パイプ材等からなり、収納棚が設置される床面３５０に立設される複数本の支柱３１２、３１４、等と、例えば、鋼板や木材等からなり、これらの支柱に任意の上下間隔をもって架け渡されて各種物品が載置される複数枚の棚板３２２、３２４、３２６、等とから構成されている。【００２１】  また、収納棚３００の棚板３２６へ物品を出し入れする側であり、��側支柱３１２、３１４と収納棚３２４、３２６とで囲まれる収納開口３４６には、本発明の落下物防止装置１００を構成する第１の落下防止ユニット１２０が配置される。【００２２】  同様に、収納棚３００の棚板３２４へ物品を出し入れする側であり、前側支柱３１２、３１４と収納棚３２２、３２４とで囲まれる収納開口３４４には、本発明の落下物防止装置１００を構成する第２の落下防止ユニット１４０が配置される。【００２３】  また同様に、収納棚３００の棚板３２２へ物品を出し入れする側であり、前側支柱３１２、３１４と収納棚３２２とで囲まれる収納開口３４２には、本発明の落下物防止装置１００を構成する第３の落下防止ユニット１６０が配置される。【００２４】  この実施例での本発明の落下物防止装置１００は、第１の落下防止ユニット１２０と、第２の落下防止ユニット１４０と、第３の落下防止ユニット１６０と、第１の落下防止ユニット１２０と第２の落下防止ユニット１４０を連結する一組の連結板１８２と、第２の落下防止ユニット１４０と第３の落下防止ユニット１６０を連結する一組の連結板１８４とで構成されている。さらに、第１の落下防止ユニット１２０と第２の落下防止ユニット１４０と第３の落下防止ユニット１６０は、図１に示す収納開口３４６、３４４、３４２を横断する落下防止位置と、図３に示す収納開口３４６、３４４、３４２を開放する退避位置とに連動して位置変更可能となっている。【００２５】  第１の落下防止ユニット１２０は、図１乃至図４及び図５、図８に示すとおり、一組の第１の落下防止杆支持部１２１と第１の落下防止杆１２４で構成されている。【００２６】  第１の落下防止杆支持部１２１は、支柱３１２または支柱３１４にナットとボルト等で固定され、スライダー１２５を位置変更可能に支持するスライドレール１２２を有する第１の落下防止杆支持部本体１２３と、第１の落下防止杆１２４を回動可能に軸支するスライダー１２５と、スライダー１２５に軸支され、スライドレール１２２を転動する１組のガイドローラ１２６と、第１の落下防止杆１２４の端部に固定して設けられ、スライダー１２５を図１、図２及び図５に示す収納開口３４６を横断する落下防止位置と、図３、図４及び図８に示す収納開口３４６を開放する退避位置とで係止する係止部１２７とを備えている。なお、スライダー１２５には、第１の落下防止杆１２４の上下動（収納開口を横断する落下防止位置と収納開口を開放する退避位置との間の位置変更）に連動させて第２の落下防止杆１４４を上下動するための連結板１８２が、第１の落下防止杆支持部１２１の上方に向けて接続されている。【００２７】  また、係止部１２７は、第１の落下防止杆１２４の軸を中心とした点対称の位置に設けられ、その先端に係止部１２７による係止状態を維持するための一組の係止爪１２７ａ、１２７ｂと、スライドレール１２２に設けられ、係止爪１２７ａと係合することでスライダー１２５を収納開口３４６を開放する退避位置に係止させる係止爪受け部１２７ｃと、スライドレール１２２に設けられ、係止爪１２７ｂと係合することでスライダー１２５を収納開口３４６を横断する落下防止位置に係止させる係止爪受け部１２７ｄと、係止爪１２７ａ及��係止爪受け部１２７ｃの係合状態を維持し、係止爪１２７ｂ及び係止爪受け部１２７ｄの係合状態を維持するために、図５及び図８における紙面での右回りの方向へ付勢させるトーションバネ１２７ｅとを有している。【００２８】  なお、１２７ｆは、一方の係止爪１２７ａが係止爪受け部１２７ｃへ係合した際に、他方の係止爪１２７ｂがスライドレール１２２に接触しないようにするための係止爪逃げ部である。同様に、１２８ｇは、他方の係止爪１２７ｂが係止爪受け部１２７ｄへ係合した際に、一方の係止爪１２７ａがスライドレール１２２に接触しないようにするための係止爪逃げ部である。【００２９】  このような構成の第１の落下防止ユニット１２０において、第１の落下防止杆１２４を図１、図５に示す収納開口３４６を横断する落下防止位置と、図３、図８に示す収納開口３４６を開放する退避位置との間で位置変更を行う方法を以下に説明する。初期状態として、第１の落下防止杆１２４が図３及び図８の収納開口３４６を開放する退避位置にある場合、第１の落下防止杆１２４は、その端部に固定された係止部１２７のトーションバネ１２７ｅによる図８における右回りの方向へ付勢力で、一方の係止爪１２７ａが一方（図８の紙面下側）の係止爪受け部１２７ｃに係止されている。このため、第１の落下防止杆１２４は上方向（即ち、収納開口３４６を横断する落下防止位置への方向）には移動できない。【００３０】  この初期状態から、第１の落下防止杆１２４を図１及び図５の収納開口３４６を横断する落下防止位置に移動させる場合、第１の落下防止杆１２４を例えば手で掴み、トーションバネ１２７ｅによる図８における右回りの方向への付勢力に抗して第１の落下防止杆１２４を図８の紙面における左回りの方向へ回転させ、一方の係止爪１２７ａと一方の係止爪受け部１２７ｃの係合状態を解除する。次に、第１の落下防止杆１２４を手で上方向（第１の落下防止杆１２４が収納開口３４６を横断する落下防止位置）へ向かって移動させる。このまま、第１の落下防止杆１２４を収納開口３４６を横断する落下防止位置まで移動させると、トーションバネ１２７ｅによる図５における右回りの方向への付勢力で、他方の係止爪１２７ｂが他方（図５の紙面上側）の係止爪受け部１２７ｄに係合される。この後、トーションバネ１２７ｅによる図５における右回りの方向へ付勢力により係止され、第１の落下防止杆１２４は下方向（即ち、収納開口３４６を開放する退避位置への方向）へ移動できなくなる。【００３１】  なお、本発明の落下物防止装置１００は、昇降駆動モータ等の複雑な構成を採用することなく、単純な構成で、かつ手動で上下動（収納開口を横断する落下防止位置と収納開口を開放する退避位置との間の位置変更）を行うことが可能に構成されている。このために、第１の落下防止ユニット１２０と、第２の落下防止ユニット１４０と、第３の落下防止ユニット１６０は、第１の落下防止ユニット１２０（具体的にはスライダー１２５）と第２の落下防止ユニット１４０（具体的にはスライダー１４５）を連結する一組の連結板１８２と、第２の落下防止ユニット１４０（具体的にはスライダー１４５）と第３の落下防止ユニット１６０（具体的にはスライダー１６５）を連結する一組の連結板１８４とで連結されている。【００３２】  このために、上記で説明した第１の落下防止ユニット１２０は、本発明の落下物防止装置１００の複数の落下防止杆を、各々の落下防止杆が対応する収納開口を、横断する落下防止位置と開放する退避位置との間の位置変更をさせるために手で掴める高さ（床面３５０からの距離）に配置されると共に、手で掴んで操作する落下防止ユニットゆえに、本発明の落下物防止装置１００の複数の落下防止杆の全てを落下防止位置と退避位置とで係止させて移動不可とする機能を有している。【００３３】  第２の落下防止ユニット１４０は、図１乃至図４及び図６、図９に示すとおり、一組の第２の落下防止杆支持部１４１と第２の落下防止杆１４４で構成されている。【００３４】  第２の落下防止杆支持部１４１は、支柱３１２または支柱３１４にナットとボルト等で固定され、スライダー１４５を位置変更可能に支持するスライドレール１４２とタイミングプーリー１４７に接続されるタイミングベルト１４８とを有する第２の落下防止杆支持部本体１４３と、第２の落下防止杆１４４を回動可能に軸支するスライダー１４５と、スライダー１４５に軸支され、スライドレール１４２を転動する１組のガイドローラ１４６と、第２の落下防止杆１４４の端部に軸着されるタイミングプーリー１４７とを備えている。また、１組のガイドローラ１４６には、同軸に各々アイドラー１４９が軸着され、この一組のアイドラー１４９に、タイミングプーリー１４７に設けられた歯とタイミングベルト１４８に設けられた歯とが噛み合わされる方向に付勢されるように、タイミングベルト１４８が張設されている。【００３５】  なお、図６及び図９においては、ガイドローラ１４６はアイドラー１４９に隠れるように紙面裏側に設けられているので、当該場所にはアイドラーの符号１４９を示し、ガイドローラの符号１４６は括弧書きして図示している。また、タイミングベルト１４８に設けられた歯は、図６及び図９では一部のみを図示し、その他は省略している。【００３６】  また、スライダー１４５には、第１の落下防止杆１２４の上下動（収納開口を横断する落下防止位置と収納開口を開放する退避位置との間の位置変更）に連動して第２の落下防止杆１４４が上下動するための連結板１８２が、第２の落下防止杆支持部１４１の下方に向けて接続されている。同様に、スライダー１４５には、第２の落下防止杆１４４の上下動に連動して第３の落下防止杆１６４が上下動するための連結板１８４が、第２の落下防止杆支持部１４１の上方に向けて接続されている。【００３７】  このような構成の第２の落下防止ユニット１４０は、第１の落下防止杆１２４の上下動（収納開口３４６を横断する落下防止位置と収納開口３４６を開放する退避位置との間の位置変更）に伴い、上下動、即ち、第２の落下防止杆１４４が収納開口３４４を横断する落下防止位置と収納開口３４４を開放する退避位置との間の位置変更がされることになる。【００３８】  また、この際、第２の落下防止杆１４４は、その端部に軸着されるタイミングプーリー１４７の歯がスライダー１４５に設けられたタイミングプーリー１４７の歯と噛み合うことで回動する。この結果、一組の���２の落下防止杆支持部１４１の両方において同じタイミング（単位時間あたりの上下動の距離が等しい状態）で上下動を保つことが可能となるので、第２の落下防止杆１４４と、それに連結された第１の落下防止杆１２４と第３の落下防止杆１６４の全てが傾くことなく、落下防止杆の水平の修正が必要ない。またさらに、手動で動作させる本発明の落下物防止装置１００において重要である、大きな力を必要とせずにスムーズに落下防止杆の位置変更が可能となる。【００３９】  なお、上記で説明した第２の落下防止ユニット１４０は、本発明の落下物防止装置１００の複数の落下防止杆が傾くことなく上下動させる機能を有するものであり、複数の落下防止ユニットのいずれか一つに設ければよい。また、落下防止杆を回動させることで落下防止位置と退避位置とで係止させて移動不可とする機能を有する第１の落下防止ユニット１２０に、この第２の落下防止ユニット１４０の機能を持たせないようにしてあるので、ある特定の落下防止ユニットに機能を集中させない、即ち個別の落下防止ユニットを必要以上に複雑な構成としない効果を有する。【００４０】  第３の落下防止ユニット１６０は、図１乃至図４及び図７、図１０に示すとおり、一組の第３の落下防止杆支持部１６１と第３の落下防止杆１６４で構成されている。【００４１】  第３の落下防止杆支持部１６１は、支柱３１２または支柱３１４にナットとボルト等で固定され、スライダー１６５を位置変更可能に支持するスライドレール１６２を有する第３の落下防止杆支持部本体１６３と、第３の落下防止杆１６４が落下防止杆固定ネジ１６７で固定されたスライダー１６５と、スライダー１６５に軸支され、スライドレール１６２を転動する１組のガイドローラ１６６とを備えている。【００４２】  また、スライダー１６５には、第２の落下防止杆１４４の上下動（収納開口を横断する落下防止位置と収納開口を開放する退避位置との間の位置変更）に連動して第３の落下防止杆１６４が上下動するための連結板１８４が、第３の落下防止杆支持部１６１の下方に向けて接続されている。【００４３】  このような構成の第３の落下防止ユニット１６０は、第２の落下防止杆１４４の上下動（収納開口３４４を横断する落下防止位置と収納開口３４４を開放する退避位置との間の位置変更）に伴い、上下動、即ち、第３の落下防止杆１６４が収納開口３４２を横断する落下防止位置と収納開口３４２を開放する退避位置との間の位置変更がされることになる。【００４４】  なお、上記で説明した第３の落下防止ユニット１６０は、手動で上下動させることで落下防止位置と退避位置の間を位置変更させる機能を有する第１の落下防止ユニット１２０に連動して上下動し、第３の落下防止杆が対応する収納開口３４２を、横断する落下防止位置と開放する退避位置との間で位置変更する機能のみを有する。このため、例えば棚板が４段以上あるような収納棚においては、この第３の落下防止ユニットをさらに追加し、追加した第３の落下防止ユニットともとの第３の落下防止ユニットを連結板で接続することで対応可能である。【００４５】  このように、第３の落下防止ユニット１６０は、棚板に載置された物品の落下や飛び出しを防止する機能に特化��たものとなっており、非常に単純な構成であり、かつ多数の棚板に対応する場合には、この単純は構成である第３の落下防止ユニット１６０を追加すればよく、非常に安価に棚板の数の変更に対応可能という効果を有する。【００４６】  このようなスライダー１２５に接続された第１の落下防止杆１２４と、スライダー１４５に接続された第２の落下防止杆１４４と、スライダー１６５に接続された第３の落下防止杆１６４の全体の重量を支えると共に、第１の落下防止杆１２４を手動で上下動することで、本発明の落下物防止装置１００の複数の落下防止杆を、各々の落下防止杆が対応する収納開口に対して横断する落下防止位置と開放する退避位置との間の位置変更をさせるため構成を説明する。【００４７】  図１１は、第３の落下防止杆支持部１６１に設けられた定荷重バネ部１８０の部分正面図である。定荷重バネ部１８０は、一端がバネ固定部１８６に固定され、他端がスライダー１６５に固定される板バネ状の定荷重バネ１８８とで構成されている。【００４８】  定荷重バネ１８８は、バネ固定部１８６に固定されている一端の側がバネ固定部１８６に巻き付くようになっており、定荷重バネ１８８を巻き付きの状態を解除する方向へ引っ張った際に、戻ろうとする（巻き付きの状態に戻ろうとする）付勢力が働く。この付勢力は、図１１のように定荷重バネ１８８を設けた際には他端に接続されたスライダー１６５を上方向に持ち上げる力となる。また、この定荷重バネ１８８の付勢力は、巻き付きの状態を解除する方向へ引っ張った際の引き出し長さに依存せず一定となっている。【００４９】  本発明の落下防止装置１００では一組の定荷重バネ部１８０を設けるので、定荷重バネ１８８が対応する重量（定荷重バネ１８８が支えることが出来る重量）を、スライダー１２５に接続された第１の落下防止杆１２４の重量とスライダー１４５に接続された第２の落下防止杆１４４の重量とスライダー１６５に接続された第３の落下防止杆１６４の重量との和の１／２に設定すれば、落下物防止装置１００の複数の落下防止杆を、各々の落下防止杆が対応する収納開口に対して横断する落下防止位置と開放する退避位置との間の位置変更は、小さな力で行うことが可能となる。【００５０】  このように、本発明の落下防止装置１００は、上記にて説明した数々の機能により、複数の収納棚の収納開口に各々配置される複数の落下防止杆を連動して位置変更可能である。また、本発明の落下防止装置１００は、簡単な構成でかつ大きな力を必要としない。【００５１】  また、複数の落下防止杆を連動して位置変更する際に、落下防止杆が傾くことがないので、大きな力を必要とせずに、確実に落下防止杆の位置変更が可能となっている。【００５２】  また、本発明の落下防止装置１００は、スライダー及びスライドレールや、さらには落下防止ユニット全体も金属材料等の強度の大きい材料が使用可能であり、落下および飛び出しを防止する物品が、重量の大きいものであっても確実に落下の防止が可能となっている。【００５３】  また、各々の落下防止ユニットのスライダー１２５、１４５、１６５には、荷重受け部１８１を設けることが可能であり、落下および飛び出しを防止する物品が落下防止杆に強く���たっても、スライダーが破壊されて落下防止杆支持部本体から外れることを防止可能となっている。【００５４】  なお、本発明の落下防止装置１００は、スライドレールを共有化することにより、横方向へ連続する収納棚への対応が可能であり、横方向に必要なだけ連ねて配置することが可能である。
【符号の説明】
【００５５】１００・・・落下防止装置、１２０・・・第１の落下防止ユニット、１２１・・・第１の落下防止杆支持部、１２２・・・スライドレール、１２３・・・第１の落下防止杆支持部本体、１２４・・・第１の落下防止杆、１２５・・・スライダー、１２６・・・ガイドローラ、１２７・・・係止部、１２７ａ、１２８ｂ・・・係止爪、１２７ｃ、１２７ｄ・・・係止爪受け部、１２７ｅ・・・トーションバネ、１２７ｆ、１２８ｇ・・・係止爪逃げ部、１４０・・・第２の落下防止ユニット、１４１・・・第２の落下防止杆支持部、１４２・・・スライドレール、１４３・・・第２の落下防止杆支持部本体、１４４・・・第２の落下防止杆、１４５・・・スライダー、１４６・・・ガイドローラ、１４７・・・タイミングプーリー、１４８・・・タイミングベルト、１４９・・・アイドラー、１６０・・・第３の落下防止ユニット、１６１・・・第３の落下防止杆支持部、１６２・・・スライドレール、１６３・・・第３の落下防止杆支持部本体、１６４・・・第３の落下防止杆、１６５・・・スライダー、１６６・・・ガイドローラ、１６７・・・落下防止杆固定ネジ、１８０・・・定荷重バネ部分、１８１・・・荷重受け部、１８２、１８４・・・連結板、１８６・・・バネ固定部、１８８・・・定荷重バネ、３００・・・収納棚、３１２，３１４・・・支柱、３２２、３２４、３２６・・・棚板、３４２、３４４、３４６・・・収納開口、３５０・・・床面
【図１】
2012056767.tif 000003
【図２】
2012056767.tif 000004
【図３】
2012056767.tif 000005
【図４】
2012056767.tif 000006
【図５】
2012056767.tif 000007
【図６】
2012056767.tif 000008
【図７】
2012056767.tif 000009
【図８】
2012056767.tif 000010
【図９】
2012056767.tif 000011
【図１０】
2012056767.tif 000012
【図１１】
2012056767.tif 000013